(57)【要約】      （修正有）【課題】  エアゾール容器の上部に装着された肩カバーを簡単な操作で取外し、オーバーキャップを直接装着することによって、残留ガスの抜き取りを行えるようにしたエアゾール容器のガス抜き機構を提供する。【解決手段】  噴出ヘッドを装着したエアゾール容器に肩カバーを介してオーバーキャップを装着した内容物噴出容器であって、エアゾール容器は、胴部と、胴部上端から内側上方に傾斜する肩部と、肩部上端に上部に係合環を形成したマウンテンカップとを具え、肩カバーは、外筒壁と、エアゾール容器の係合環に係合する係合筒壁とを具え、オーバーキャップは、頂壁と、下端部が肩カバーの上部に係合する外筒壁とともに、エアゾール容器の係合環に係合する係合筒壁とを具え、肩カバーの外筒壁を押し込むことで肩カバーを変形させて取外し、オーバーキャップをエアゾール容器の係合環に直接装着することにより、噴出ヘッドの押下げ状態を維持するようにした。【選択図】  図１
2007176489.tif 000002
【特許請求の範囲】
【請求項１】
噴出ヘッドを装着したエアゾール容器に肩カバーを装着し、肩カバーにオーバーキャップを装着した内容物噴出容器であって、
エアゾール容器は、胴部と、胴部上端から内側上方に傾斜する肩部と、肩部上端に上部に係合環を形成したマウンテンカップとを具え、
肩カバーは、外筒壁と、エアゾール容器の係合環に係合する係合筒壁とを具え、
オーバーキャップは、頂壁と、下端部が肩カバーの上部に係合する外筒壁とともに、エアゾール容器の係合環に係合する係合筒壁とを具え、
肩カバーの外筒壁を押し込み、肩カバーを変形させることよってエアゾール容器から取外し、オーバーキャップをエアゾール容器の係合環に直接装着することにより、噴出ヘッドの押下げ状態を維持するようにしたことを特徴とするエアゾール容器のガス抜き機構。
【請求項２】
肩カバーの外筒壁下端が、エアゾール容器の肩部上面に当接し、内方に摺動することにより、肩カバーをエアゾール容器に対して持ち上げるようにしたことを特徴とする請求項１記載のエアゾール容器のガス抜き機構。
【請求項３】
オーバーキャップの係合筒壁の下端部に、エアゾール容器の係合環に係合する係合部を設けたことを特徴とする請求項１、２記載のエアゾール容器のガス抜き機構。
【発明の詳細な説明】
【技術分野】
【０００１】
本発明は、エアゾール容器、とくに使用後における容器内の残留ガスの抜き取り機構に関するものである。
【背景技術】
【０００２】
噴出ヘッドを装着したエアゾール容器に肩カバーを装着し、肩カバーに噴出ヘッドを保護するオーバーキャップを装着した内容物噴出容器において、使用済みエアゾール容器の残留ガスを抜き取るために肩カバーをエアゾール容器から取外し、オーバーキャップをエアゾール容器に直接装着することで噴出ヘッドを押下げ位置に維持して、残留ガスを抜き取るようにした内容物噴出容器は、従来より知られている（例えば、特許文献１参照）。
【特許文献１】特開２００１−２１５４号公報
【発明の開示】
【発明が解決しようとする課題】
【０００３】
しかしながら、上記特許文献記載の内容物噴出容器では、肩カバー（プロテクターリング）をエアゾール容器から取外すために、肩カバーに設けた指掛け用突出部に指を掛け、上方に持ち上げて取外しているので、肩カバーとエアゾール容器の嵌合が弱いと、使用時に落とした場合に外れることがあり、また、嵌合が強いと、取外す際に苦労するという問題があった。
【０００４】
また、上記特許文献記載の内容物噴出容器では、肩カバー（プロテクターリング）をエアゾール容器から取外すために、肩カバー自体を引き裂いたりすることでエアゾール容器から取外すことも考えているが、肩カバーの形状が複雑になり、さらに、引き裂き作業が必要となるので、肩カバーをエアゾール容器から簡単に取外すことができなくなるという問題があった。
【０００５】
本発明は、上記問題を解決することを課題とし、エアゾール容器の上部に装着された肩カバーを簡単な操作で取外し、オーバーキャップを装着することによって、使用済みのエアゾール容器の残留ガスの抜き取りを行えるようにしたエアゾール容器のガス抜き機構を提供することを目的とする。
【課題を解決するための手段】
【０００６】
本発明は、上記の課題を解決するため、エアゾール容器のガス抜き機構として、噴出ヘッドを装着したエアゾール容器に肩カバーを装着し、肩カバーにオーバーキャップを装着した内容物噴出容器であって、エアゾール容器は、胴部と、胴部上端から内側上方に傾斜する肩部と、肩部上端に上部に係合環を形成したマウンテンカップとを具え、肩カバーは、外筒壁と、エアゾール容器の係合環に係合する係合筒壁とを具え、オーバーキャップは、頂壁と、下端部が肩カバーの上部に係合する外筒壁とともに、エアゾール容器の係合環に係合する係合筒壁とを具え、肩カバーの外筒壁を押し込み、肩カバーを変形させることよってエアゾール容器から取外し、オーバーキャップをエアゾール容器の係合環に直接装着することにより、噴出ヘッドの押下げ状態を維持するようにしたことを特徴とする構成を採用する。
【０００７】
具体的な実施例として、肩カバーの外筒壁下端が、エアゾール容器の肩部上面に当接し、内方に摺動することにより、肩カバーをエアゾール容器に対して持ち上げるようにしたことを特徴とする構成、または、オーバーキャップの係合筒壁の下端部に、エアゾール容器の係合環に係合する係合部を設けたことを特徴とする構成を採用する。
【発明の効果】
【０００８】
噴出ヘッドを装着したエアゾール容器に肩カバーを装着し、肩カバーにオーバーキャップを装着した内容物噴出容器において、エアゾール容器のガス抜きの際、まず、肩カバーの外筒壁を両側より押さえ、変形させることにより、外筒壁がエアゾール容器の肩部に摺動し、肩カバーが持ち上がり、簡単に肩カバーを取外せるようになった。
次いで、オーバーキャップをエアゾール容器の係合環に直接装着することにより、噴出ヘッドの押下げ状態を維持することができ、残留ガスの抜き取りが簡単な操作で行えるようになった。
【発明を実施するための最良の形態】
【０００９】
次に、本発明のエアゾール容器について実施例をあげ、図面を参照して説明する。
【実施例１】
【００１０】
図１において、Ａはエアゾール容器、Ｂはエアゾール容器Ａに装着された噴出ヘッド、Ｃはエアゾール容器Ａに装着される肩カバー、Ｄは肩カバーＣおよびエアゾール容器Ａに装着されるオーバーキャップである。
【００１１】
エアゾール容器Ａは、金属製、または合成樹脂製であり、胴部１と、胴部１上端から内側上方に傾斜する肩部２と、肩部２上端に連設されたマウンテンカップ３とを具備している。
マウンテンカップ３は、上部に肩カバーＣを装着する係合環４を形成し、内方中央には、上端にステム５を突出したエアゾールバルブが配設されている。
【００１２】
噴出ヘッドＢは、合成樹脂によって成形され、エアゾール容器Ａのステム５に装着されており、頂壁１０と噴出孔１１を配設した側周壁１２とを具えている。
【００１３】
肩カバーＣは、合成樹脂によって成形され、上壁１５と、上壁１５内縁に垂設された内筒壁１６と、上壁１５下面の所定の位置に垂設され、肩カバーＣをエアゾール容器Ａの上部に装着する係合筒壁１７と、上壁１５外縁に垂設された外筒壁１８とを具えている。
係合筒壁１７内周下端には、エアゾール容器Ａのマウンテンカップ３の係合環４の外周下部に上部が係合する係合突部１９が、ある程度の間隔をもって複数配設されている。
【００１４】
外筒壁１８は、上部の上部側周壁２０と、上部側筒壁２０の下端にフランジ２１を介して拡径され、下端がエアゾール容器Ａの傾斜している肩部２の外縁部に当接する下部側周壁２２とから形成されている。
【００１５】
オーバーキャップＤは、頂壁２５と、頂壁２５下面の所定の位置に垂設され、オーバーキャップＤをエアゾール容器Ａの上部に装着する係合筒壁２６と、頂壁２５外縁に垂設された外筒壁２７とを具えている。
外筒壁２７の内周下部が、肩カバーＣの外筒壁１８の上部側周壁２０外周と係合するとともに、下端面が外筒壁１８のフランジ２１上面に当接することにより、オーバーキャップＤは肩カバーＣに装着される。
【００１６】
係合筒壁２６の周壁下方は、下端から延び、空気の流路となる幅狭の切込み２８が切り込まれ、切込み２８を除いた係合筒壁２６の内周下端には、エアゾール容器Ａのマウンテンカップ３の係合環４の外周下部に上部が係合する係合突条２９が周設されている。
【００１７】
次に、本実施例の噴出容器の使用態様と、作用効果について説明する。
噴出容器の組立は、エアゾール容器Ａのステム５に噴出ヘッドＢを装着し、次いで、エアゾール容器Ａの係合環４に肩カバーＣを装着し、最後に、肩カバーＣの上部側周壁２０にオーバーキャップＤを装着し、噴出容器を閉蓋する。
【００１８】
噴出容器使用の際には、オーバーキャップＤを肩カバーＣから取外し、噴出ヘッドＢを押下げ操作することにより内容物を噴出孔１１から噴出させる。
使用が終わったらオーバーキャップＤを肩カバーＣに装着し、閉蓋することができる。
【００１９】
内容物を全て使用し、エアゾール容器Ａを廃棄する際には、エアゾール容器Ａ内の残留ガスの抜き取りを行う。
残留ガスの抜き取りには、まず、肩カバーＣの外筒壁１８の対角線上の二個所を指などで把持し、両側より内方に押し込むと、外筒壁１８の対角線上の二個所を内方に変形させる。
このことで、図２に示すように、外筒壁１８の変形した位置の下部側周壁２２下端が、エアゾール容器Ａの肩部２上面を摺動し、肩部２の傾斜により、内方に進むにしたがって外筒壁１８を上方に持ち上げていく。
【００２０】
また、外筒壁１８の変形した位置の上壁１５も内方に押し込まれ、上壁１５下面に垂設された係合筒壁１７も変形し、係合筒壁１７の係合突部１９と、エアゾール容器Ａのマウンテンカップ３の係合環４との係合が弱まっていく。
なお、係合筒壁１７の係合突部１９は間隔をもって配設されているため、係合筒壁１７の変形を妨げることはない。
【００２１】
肩カバーＣの対角線上の二個所が内方に変形することで、外筒壁１８のエアゾール容器Ａに対しての上方に持ち上げる力、および、係合筒壁１７の係合突部１９とエアゾール容器Ａのマウンテンカップ３の係合環４との係合の弱まりにより、肩カバーＣをエアゾール容器Ａの上部から簡単に取外すことができる。
【００２２】
肩カバーＣをエアゾール容器Ａから取外した後、オーバーキャップＤをエアゾール容器Ａの上方に被せ、図３に示すように、エアゾール容器Ａのマウンテンカップ３の係合環４に、オーバーキャップＤの係合筒壁２６内周の係合突条２９を係合させることで、エアゾール容器Ａの上部にオーバーキャップＤを装着する。
なお、オーバーキャップＤの係合突条２９は、係合筒壁２６の内周下端に周設されているため、係合筒壁２６の変形を防止している。
【００２３】
エアゾール容器Ａの上部にオーバーキャップＤを装着することにより、オーバーキャップＤの頂壁２５下面が噴出ヘッドＢの頂壁１０に当接し、噴出ヘッドＢを一定の位置まで押下げ、残留ガスの抜き取りが行われる。
残留ガスは、噴出ヘッドＢの噴出孔１１からオーバーキャップＤの係合筒壁２６内に噴出され、切込み２８を流路として通り、外筒壁２７下端とエアゾール容器Ａの肩部２との間隙より容器外に排出される。
【００２４】
オーバーキャップＤとエアゾール容器Ａとは強く係合しているので、そのまま放置しておくとガスの抜き取りが継続され、エアゾール容器Ａ内の残留ガスや内容物は抜き取られ、エアゾール容器Ａを安全に廃棄することができる。
必要であれば、エアゾール容器Ａ内の残留ガスや内容物を完全に抜き取り後、エアゾール容器ＡからオーバーキャップＤを取外し、分別廃棄することもできる。
【００２５】
前記実施例では、オーバーキャップＤの係合筒壁２６をガス抜き時に、マウンテンカップ３の係合環４の外周に係合させるようにしたが、係合筒壁２６の外周を、係合環４内周に係合するように内側に寄せて配設してもよい。
【実施例２】
【００２６】
次に、肩カバーとオーバーキャップの構成を変えた実施例について説明する。
以下、前実施例と同一の構成部分については、同一の符号を付して図示するだけにとどめ、相違点を中心に説明する。
【００２７】
図４において、Ａはエアゾール容器、Ｂは噴出ヘッド、Ｃａは肩カバー、Ｄａはオーバーキャップである。
【００２８】
肩カバーＣａは、合成樹脂によって成形され、内側上方に傾斜する傾斜筒壁３０と、傾斜筒壁３０内縁上端に立設された蓋係合筒３１と、傾斜筒壁３０下面の所定の位置に垂設され、肩カバーＣａをエアゾール容器Ａの上部に装着する係合筒壁３２と、傾斜筒壁３０外縁下端に垂設され、下端がエアゾール容器Ａの傾斜している肩部２の外縁部に当接する外筒壁３３とを具えている。
係合筒壁３２内周下端には、エアゾール容器Ａのマウンテンカップ３の係合環４の外周下部に上部が係合する係合突部３４が、ある程度の間隔をもって複数配設されている。
【００２９】
オーバーキャップＤａは、ドーム状の頂壁３５と、頂壁３５下端に垂設された側筒壁３６とを具えている。
側筒壁３６の内周下部が、肩カバーＣａの蓋係合筒３１外周と係合することにより、オーバーキャップＤａは肩カバーＣａに装着される。
【００３０】
側筒壁３６の外周下部には、エアゾール容器Ａのマウンテンカップ３の係合環４内周に係合し、オーバーキャップＤａをエアゾール容器Ａの上部に保持する係合部３７が突設されている。
係合部３７には、上端から下端まで一直線に延び、空気の流路となる縦溝など（図示しない）が設けられている。
【００３１】
次に、本実施例の噴出容器の使用態様と、作用効果について説明する。
噴出容器の組立と噴出操作は、肩カバーＣａの蓋係合筒３１外周にオーバーキャップＤａの側筒壁３６内周下部を係合させ、オーバーキャップＤａを肩カバーＣａに装着させること以外、第１実施例と同様に行われ、内容物を噴出孔１１から噴出することができる。
【００３２】
内容物を全て使用し、エアゾール容器Ａを廃棄する際には、まず、肩カバーＣａの外筒壁３３の対角線上の二個所を指などで把持し、両側より内方に押し込むと、外筒壁３３の対角線上の二個所を内方に変形させる。
そして、図５に示すように、外筒壁３３の変形した位置の下端が、エアゾール容器Ａの肩部２上面を摺動し、肩部２の傾斜により、内方に進むにしたがって外筒壁３３を上方に持ち上げていく。
【００３３】
また、外筒壁３３の変形した位置の傾斜筒壁３０も内方に押し込まれ、傾斜筒壁３０下面に垂設された係合筒壁３２も変形し、係合筒壁３２の係合突部３４と、エアゾール容器Ａのマウンテンカップ３の係合環４との係合が弱まっていく。
なお、係合筒壁３２の係合突部３４は間隔をもって配設されているため、係合筒壁３２の変形を妨げることはない。
【００３４】
肩カバーＣａの対角線上の二個所が内方に変形することで、外筒壁３３のエアゾール容器Ａに対しての上方に持ち上げる力、および係合筒壁３２の係合突部３４とエアゾール容器Ａのマウンテンカップ３の係合環４との係合の弱まりにより、肩カバーＣａをエアゾール容器Ａの上部から簡単に取外すことができる。
【００３５】
肩カバーＣａをエアゾール容器Ａから取外した後、図６に示すように、エアゾール容器Ａのマウンテンカップ３の係合環４内周にオーバーキャップＤａの側筒壁３６外周の係合部３７を係合させ、エアゾール容器Ａの上部にオーバーキャップＤａを装着する。
なお、オーバーキャップＤａの係合部３７は、側筒壁３６の外周下端に周設されているため、側筒壁３６の変形を防止している。
【００３６】
エアゾール容器Ａの上部にオーバーキャップＤａを装着することにより、オーバーキャップＤａの頂壁３５下面が噴出ヘッドＢの頂壁１０に当接し、噴出ヘッドＢを一定の位置まで押下げ、残留ガスの抜き取りが行われる。
残留ガスは、噴出ヘッドＢの噴出孔１１からオーバーキャップＤａ内に噴出され、係合部３７の縦溝など（図示しない）を流路として、容器外に排出される。
【００３７】
オーバーキャップＤａとエアゾール容器Ａとは強く係合しているので、そのまま放置しておくとガスの抜き取りが継続され、エアゾール容器Ａ内の残留ガスや内容物は抜き取られ、エアゾール容器Ａを安全に廃棄することができる。
必要であれば、エアゾール容器Ａ内の残留ガスや内容物を完全に抜き取り後、エアゾール容器ＡからオーバーキャップＤａを取外し、分別廃棄することもできる。
【００３８】
本実施例では、オーバーキャップＤａの頂壁３５をドーム状としたが、オーバーキャップをエアゾール容器の上部に装着した際に、噴出ヘッドの頂壁に当接し、一定の位置まで押下げ、残留ガスを噴出ヘッドの噴出孔からオーバーキャップ内に噴出させられるものであればよいので、オーバーキャップの上部の形状は、本実施例の形状に限定されない。
【００３９】
上記各実施例の肩カバーの外筒壁の対角線上の二個所に、指などで把持しやすくするための指かかり部や表示部を設けることで、肩カバーの外筒壁を把持し、内方に変形させることを、より一層簡単にすることができる。
【産業上の利用可能性】
【００４０】
本発明は、肩カバーの外筒壁の対角線上の二個所を指などにより把持し、内方に押し込むことにより、肩カバーをエアゾール容器から簡単に取外し、オーバーキャップをエアゾール容器に直接装着するというきわめて簡単な操作によって残留ガスの抜き取りができるので、種々のエアゾール容器のガス抜き機構として広く利用できる。
【図面の簡単な説明】
【００４１】
【図１】本発明第１実施例の噴出容器の断面立面図である。
【図２】肩カバーの外筒壁の押し込み時の説明図である。
【図３】噴出容器のガス抜き時の断面立面図である。
【図４】第２実施例の噴出容器の断面立面図である。
【図５】肩カバーの外筒壁の押し込み時の説明図である。
【図６】噴出容器のガス抜き時の断面立面図である。
【符号の説明】
【００４２】
Ａ          エアゾール容器
Ｂ          噴出ヘッド
Ｃ、Ｃａ    肩カバー
Ｄ、Ｄａ    オーバーキャップ  
１          胴部
２          肩部
３          マウンテンカップ
４          係合環
５          ステム
１０、２５、３５  頂壁
１１        噴出孔
１２        側周壁
１５        上壁
１６        内筒壁
１７、２６、３２  係合筒壁
１８、２７、３３  外筒壁
１９、３４  係合突部
２０        上部側周壁
２１        フランジ
２２        下部側周壁
２８        切込み
２９        係合突条
３０        傾斜筒部
３１        蓋係合筒
３６        側筒壁
３７        係合部
【図１】
2007176489.tif 000003
【図２】
2007176489.tif 000004
【図３】
2007176489.tif 000005
【図４】
2007176489.tif 000006
【図５】
2007176489.tif 000007
【図６】
2007176489.tif 000008